(57)【要約】【課題】左右方向に振動が生じても、電気電子機器収納用箱の箱体本体の側面若しくは背面に取り付けられるパネルが外れにくいようにすること。【解決手段】箱体本体と、箱体本体の側面若しくは背面に取り付けられるパネル３を備え、前記パネルの端部に設けた係止部５により前記パネルが筐体本体に取り付けられる電気電子機器収納用箱であって、前記パネルの端部に形成した屈曲部３１の一部から突出する突出部３２が、天井部に設けた孔に差し込まれた構成とする。【選択図】図９
2019047082.tif 000002
【特許請求の範囲】
【請求項１】
箱体本体と、箱体本体の側面若しくは背面に取り付けられるパネルを備え、前記パネルの端部に設けた係止部により前記パネルが筐体本体に取り付けられる電気電子機器収納用箱であって、
前記パネルの端部に形成した屈曲部の一部から突出する突出部が、箱体本体に設けた孔に差し込まれた電気電子機器収納用箱。
【請求項２】
突出部が差し込まれる孔が、天井板に設けた折り曲げ部の奥に設けられた請求項１に記載の電気電子機器収納用箱。
【請求項３】
パネルの左右端面が外郭の一部を構成する請求項１又は２に記載の電気電子機器収納用箱。
【発明の詳細な説明】
【技術分野】
【０００１】
本発明は、電気電子機器収納用箱に関するものである。
【背景技術】
【０００２】
特許文献１に記載されているように、電気電子機器収納用箱の箱体本体の側面などにパネルを取り付けることが知られている。このようなパネルは、直進移動可能な係止部を備えたラッチを用いて、箱体本体に引っ掛けられていることも特許文献１に記載されている。
【先行技術文献】
【特許文献】
【０００３】
【特許文献１】特開２０１６−２２５５４３号公報
【０００４】
ところで、直進移動可能な係止部を備えたラッチで箱体本体の側面などにパネルを取り付ける構造では、地震などが発生した際にパネルが外れる虞があった。
【発明の概要】
【発明が解決しようとする課題】
【０００５】
本件の発明者は、この点について鋭意検討することにより、解決を試みた。本発明の課題は、左右方向に振動が生じても、電気電子機器収納用箱の箱体本体の側面若しくは背面に取り付けられるパネルが外れにくいようにすることである。
【課題を解決するための手段】
【０００６】
上記課題を解決するため、箱体本体と、箱体本体の側面若しくは背面に取り付けられるパネルを備え、前記パネルの端部に設けた係止部により前記パネルが筐体本体に取り付けられる電気電子機器収納用箱であって、前記パネルの端部に形成した屈曲部の一部から突出する突出部が、箱体本体に設けた孔に差し込まれた電気電子機器収納用箱とする。
【０００７】
また、突出部が差し込まれる孔が、天井板に設けた折り曲げ部の奥に設けられた構成とすることが好ましい。
【０００８】
また、パネルの左右端面が外郭の一部を構成する構成とすることが好ましい。
【発明の効果】
【０００９】
本発明では、左右方向に振動が生じても、電気電子機器収納用箱の箱体本体の側面若しくは背面に取り付けられるパネルが外れにくいようにすることが可能となる。
【図面の簡単な説明】
【００１０】
【図１】実施形態における電気機器収納用箱を正面上方から見た斜視図である。ただし、扉が開いた状態である。
【図２】実施形態における箱体本体の斜視図である。
【図３】図２の分解斜視図である。
【図４】実施形態における電気機器収納用箱を背面上方から見た斜視図である。
【図５】実施形態における電気機器収納用箱を背面上方から見た斜視図である。ただし、パネルが外された状態である。
【図６】パネルの下部の部分拡大図である。
【図７】箱体本体の下部の部分拡大図である。
【図８】パネルの下方突出部が底板の差し込み孔に挿入された状態を表した断面図である。
【図９】パネルの上部の部分拡大図である。
【図１０】箱体本体の上部の部分拡大図である。
【図１１】パネルの突出部が天井板の孔に挿入された状態を表した断面図である。
【発明を実施するための形態】
【００１１】
以下に発明を実施するための形態を示す。本実施形態の電気電子機器収納用箱１は、箱体本体２と、箱体本体２の側面若しくは背面に取り付けられるパネル３を備え、前記パネル３の端部に設けた係止部５により前記パネル３が筐体本体に取り付けられるものである。また、電気電子機器収納用箱１は、前記パネル３の端部に形成した屈曲部３１の一部から突出する突出部３２が、箱体本体２に設けた孔６１に差し込まれるように構成している。このため、左右方向に振動が生じても、電気電子機器収納用箱１の箱体本体２の側面若しくは背面に取り付けられるパネル３が外れにくいようにすることが可能となる。
【００１２】
実施形態の電気電子機器収納用箱１は、図１乃至図３に示されていることから理解されるように、側面枠体８と天井板６と底板７により、電気電子機器収納用箱１の骨格を形成する箱体本体２を形成している。箱体本体２の正面側には、回動可能なように扉４が取り付けられており、背面側にはパネル３が取り付けられている。図４及び図５に示すことから理解されるように、背面側に取り付けられるパネル３は、上下方向に直進移動可能な係止部５を用いて、箱体本体２に着脱可能に取り付けられる。なお、側面枠体８には、着脱可能に側面板１２が取り付けられている。
【００１３】
実施形態のパネル３は、図６に示すように、下方に延びる下方突出部３３を備えている。この下方突出部３３は、底板７に設けられた差し込み孔７１に差し込まれる部位である。図７に示すように、実施形態では差し込み孔７１は二つであり、底板７の屈曲した部位に沿うように設けられている。図８に示すように、下方突出部３３を差し込み孔７１に差し込むことで、パネル３の下部の位置を定めることができる。
【００１４】
また、図９に示すことから理解されるように、実施形態のパネル３には、上下移動可能な係止部５を備えている。実施形態では、パネル３の上端の両側の各々に係止部５が取り付けられている。なお、この係止部５はパネル３に取り付けられたラッチに備えられた部位である。また、パネル３の上端には、屈曲部３１を備えている。更には、この屈曲部３１の一部から突出する突出部３２が設けられている。この突出部３２は、天井部に設けた孔６１に差し込まれるものである。なお、屈曲部３１は、垂直状に広がる垂直面と水平状に広がる水平面をなしている。
【００１５】
実施形態の孔６１は、図１０に示すように、天井部を構成する天井板６に設けた折り曲げ部６２の奥に設けられている。このため、パネル３の上方に折り曲げ部６２が位置するように構成することができ、上下方向の振動に対するパネル３の移動を抑制することができる。なお、実施形態の折り曲げ部６２は、平板の端部を三回屈曲させることで、側面視Ｃ字状の部位と、その端部から下方に延びる部位を形成するように構成されている。また、底板７の端部も、平板の端部を三回屈曲させることで形成しているが、これにより側面視Ｃ字状の部位と、その端部から上方に延びる部位を設けている。
【００１６】
図１１に示すことから理解されるように、突出部３２は天井板６に設けられた孔６１に対して水平方向に差し込まれる。この孔６１は、突出部３２の左右幅と略同じか、これよりやや長めに形成されており、突出部３２が左右方向に移動することを抑制することができる。このため、パネル３が左右方向に移動することを抑制することができる。
【００１７】
実施形態のパネル３は側面枠体８と略同一の高さとなっている。また、パネル３の幅は二つの側面枠体８をかけわたす長さとなるように設けられている。したがって、パネル３を外した後の開口面積を大きくすることができる。このため、サーバなどの出し入れが行いやすくなる。また、サーバなどの設置作業を容易とすることができる。なお、実施形態では、パネル３は、その左右両外側が覆われておらず、パネル３の左右に位置する両端面３５が電気電子機器収納用箱１の外郭の一部を構成する。つまり、パネル３の左右双方の外側には、パネル３を支える部位は存在しない。
【００１８】
ここで、パネル３の取り付け方の例について説明する。先ず、パネル３の下方突出部３３を底板７に設けられた差し込み孔７１に差し込む。この後、パネル３の上端側が天井板６に近づくように動かし、パネル３の突出部３２を、天井板６に設けた孔６１に挿入させる。その後、ラッチの係止部５を上方に動かし、天井板６に引っ掛けることでパネル３の取り付けが完了する。なお、パネル３を取り外すには、係止部５を下方に動かした後、突出部３２を孔６から外し、その後、下方突出部３３を差し込み孔７１から外せば良い。
【００１９】
なお、側面枠体８に取り付けられる側面板１２は、折り曲げ形成された側面枠体８の折り曲げ厚さの内部に組み込まれる。側面板１２の下部には下方に延びる突起部が設けられており、上部にはラッチ１４が備えられている。側面板１２を側面枠体８に取り付ける際には、突起部を側面枠体８に引っ掛けたうえで、ラッチ１４を側面枠体８に引っ掛けるようにすればよい。なお、側面枠体８と側面板１２は略面一となるように取り付けられる。側面枠体８に嵌め込まれた側面板１２は四方が側面枠体８に取り囲まれているため、輸送や、地震の際の振動によって外れることはない。
【００２０】
以上、一つの実施形態について説明してきたが、本発明は上記実施形態に限定されることはなく、各種の態様とすることが可能である。例えば、プレートは、背面ではなく、側面に取り付けるものとすることも可能である。この場合、天井部などの構造はプレートの取り付けができる構造にする。
【符号の説明】
【００２１】
１  電気機器収納用箱
２  箱体本体
３  パネル
５  係止部
６  天井板
３１  屈曲部
３２  突出部
６１  孔
６２  折り曲げ部
【図１】
2019047082.tif 000003
【図２】
2019047082.tif 000004
【図３】
2019047082.tif 000005
【図４】
2019047082.tif 000006
【図５】
2019047082.tif 000007
【図６】
2019047082.tif 000008
【図７】
2019047082.tif 000009
【図８】
2019047082.tif 000010
【図９】
2019047082.tif 000011
【図１０】
2019047082.tif 000012
【図１１】
2019047082.tif 000013